(57)【要約】      （修正有）【課題】良好なデザインで、安定し、かつ響きの良い状態に固定支持した鈴構造を提供する。【解決手段】鉢状の鈴本体１と、該鈴本体１を支持する鈴台２とからなる鈴であって、鈴台２を所定の金属製のブロック体により形成するとともに、該ブロック体の中に鈴本体１を支持する所定の鈴本体収容空間２１を設けて、構成している。この鈴本体収容空間２１の底部中央には、円錐台形状の鈴本体１支持用の凸部２１ａが設けられており、同凸部２１ａの中央には上記鈴本体１の底部下面中央の螺状部（ネジ軸部）１１ｂが螺合される螺状溝（ネジ孔）２１ｂが設けられている。鉢状の鈴本体１は、その螺状部１１ｂを同螺状溝２１ｂに螺合する。【選択図】図４
0003217527.tif 000002
【実用新案登録請求の範囲】
【請求項１】
鉢状の鈴本体と、該鈴本体を支持する鈴台とからなり、上記鈴台を金属製のブロック体により形成するとともに、該ブロック体の中に上記鈴本体を保持する鈴本体保持空間を設けて、上記鈴本体を固定支持していることを特徴とする鈴構造。
【請求項２】
一端側に鈴本体を打つ球状の打鈴部および他端側に打鈴用の摘み部を有する金属製の鈴棒と該金属製の鈴棒の上記摘み部を磁力により吸着した状態で吊り下げ支持する鈴棒支持具が組み合わされて鈴セットを構成していることを特徴とする請求項１記載の鈴構造。
【考案の詳細な説明】
【技術分野】
【０００１】
本願考案は、一般家庭で使用される家庭用仏壇の仏具としての鈴（りん）の構造に関し、特に鈴本体を支持する鈴台部分を金属製のブロック体により形成し、その中に鈴本体を支持する鈴本体支持空間を設けて鈴本体を支持した鈴構造に関するものである。
【背景技術】
【０００２】
仏具としての鈴は、勤行の際に、経典などの読誦の開始、区切り、終了の合図として打ち鳴らされる。そして、従来は一般の家庭でも比較的大型の仏壇が使用されていたために、そのような鈴も大きく、鈴（鈴本体）、鈴布団、鈴台、鈴棒台の組み合わせにより構成され、さらに鈴棒台に棒状の鈴棒が置かれる構成のものが多かった（たとえば特許文献１の構成を参照）。
【０００３】
しかし、昨今は、モダン仏壇に代表されるように、住環境に対応して、小型でシンプル、スタイリッシュな仏壇が多くなっており、供養の形態も大きく変化してきている。そして、それに対応して、リップル構造の鈴や高台鈴等の鈴布団、鈴棒台のない鈴本体と小さな鈴台のみで形成された小型でシンプルな形態の鈴が提供されるようになっている（たとえば特許文献２、特許文献３の構成を参照）。
【０００４】
そして、そのような構成の鈴において、さらに鈴棒を鈴本体内に立設させるようにしたものもある（たとえば特許文献４の構成を参照）。
【先行技術文献】
【特許文献】
【０００５】
【特許文献１】実開昭６２−７２８２号公報（実願昭６０−９９２９３号）
【特許文献２】実用新案登録第３１１４２６８号公報
【特許文献３】実用新案登録第３０５４６０７号公報
【特許文献４】特開２０１８−７７４号公報
【考案の概要】
【考案が解決しようとする課題】
【０００６】
そのようなリップル鈴や高台鈴の場合、鉢状の鈴本体の底部中央に下方に突出するネジ軸、小さな円錐台形状の鈴台（台座）の上部に上面側から下方に延びるネジ穴を設け、鈴本体のネジ軸を鈴台のネジ穴に螺合することによって鈴本体を鈴台（台座）上に固定するようにしている。
【０００７】
しかし、このような構成の鈴の場合、鈴全体がお椀のような形態になると共に、鈴本体と鈴台（台座）の連結部分が局部的にくびれて細くなり、結合部がそのまま見えるので、デザイン的な見栄えが良くない。また、デザイン設計上のバリエーションンも制約され、斬新なデザインを採用することができない。また、鈴台（台座）部分を小さくすればするほど、鈴本体の支持状態が不安定になり、転倒しやすくなる。さらに、鈴本体の底部がネジ軸を介して、小さな鈴台（台座）の上部に結合されているだけであるから、打たれた時の鈴本体の響きが鈴本体の全周から容易に空間中に拡散されてしまい、残響効果（余韻）が出なくなってしまう。
【０００８】
この出願の考案は、このような問題を解決するためになされたもので、鈴本体を支持する鈴台部分（台座部分）を金属製のブロック体により形成し、その中に鈴本体を支持する鈴本体支持空間を設けて鈴本体を確実に支持させると共に、同鈴本体支持空間を例えば共鳴空間に形成することによって上述の問題を解決した鈴構造を提供することを目的とするものである。
【課題を解決するための手段】
【０００９】
この出願は、上述のような課題を解決するために、次のような課題解決手段を備えて構成されている。
【００１０】
（１）請求項1の考案の課題解決手段
請求項1の考案の課題解決手段は、鉢状の鈴本体と、該鈴本体を支持する鈴台とからなり、上記鈴台を金属製のブロック体により形成するとともに、該ブロック体の中に上記鈴本体を支持する鈴本体支持空間を設けて、上記鈴本体を固定支持したことを特徴としている。
【００１１】
このような構成によると、鉢状の鈴本体の主要部分が金属製のブロック体中の鈴本体保持空間内に収納された状態で支持されるので、仮に鈴本体の底部にネジ軸等を設けて金属製のブロック体中の鈴本体保持空間底部のネジ穴部に螺合させて固定する構成を採用したとしても、それらの部分は外部から見えなくなるので、非常に見栄えが良くなる。また、金属ブロックは質量が大きく、鈴本体の振動に対して共振しにくいので、機械的に鈴本体の安定した支持が可能となるだけでなく、音響工学的にも、鈴本体の安定した振動を妨げない良好な支持状態を実現することができる。
【００１２】
また、金属製のブロック体中の鈴本体支持空間を鈴本体振動時（鳴動時）の共鳴空間（残響空間）として機能させることができるので、打鈴時の残響効果を向上させることができる。このため余韻のある高級な鈴を提供することができる。
【００１３】
また、同構成の場合、たとえば鈴本体の底部にネジ軸等を設けて金属製のブロック体中の鈴本体保持空間底部のネジ穴部に螺合させて固定する構成を採用した場合に、鈴本体の底部と鈴本体保持空間底部との間にフェルトなどの弾性材を介装することによって、鈴本体の底部側から鈴本体保持空間底部側への鈴本体の振動が伝わるのを遮断し、鈴本体の振動の減衰を可能な限り防止する。これにより、より鈴本体の振動性能が向上し、音響性能が良くなる。
【００１４】
金属製のブロック体中に鈴本体を支持すると言う鈴構造は、鈴自体の構造として非常に斬新で、鈴本体と金属製のブロック体との色を変え、コントラストを与えることにより、デザイン的にも非常にユニークなものとなる。
【００１５】
（２）請求項２の考案の課題解決手段
請求項２の考案の課題解決手段は、上記請求項１の考案の課題解決手段において、一端側に鈴本体を打つ球状の打鈴部および他端側に打鈴用の摘み部を有する金属製の鈴棒と該金属製の鈴棒の上記摘み部を磁力により吸着した状態で吊り下げ支持する鈴棒支持具が組み合わされて、鈴セットを構成するようになっていることを特徴としている。
【００１６】
この場合、好ましくは、打鈴用の摘み部も球状に形成されるとともに、鈴棒支持具が上方に延びて湾曲したアーム状に形成され、該アーム部の先端も球状に形成される。そして、打鈴用の摘み部の球状部とアーム部先端の球状部には、それぞれ磁石が設けられる。
【００１７】
このようにすると、鈴棒支持具の上方に延びて湾曲したアーム部先端の球状部に打鈴用の摘み部の球状部が確実に吸着されて、適切に吊り下げられる。そして、打鈴時には、自由に吊り下げ状態の鈴棒を取って、摘み部を握り、球状の打鈴部で鈴本体の内側を打って効果的に鈴音を響かせることができる。
【００１８】
その後は、球状の摘み部の磁石部をアーム部先端の球状部の磁石に吸着させることによって、簡単に吊り下げることができる。
【００１９】
この場合にも、打鈴部および摘み部を有する鈴棒、鈴棒支持具のアーム部や先端の球状部の色を相互にコントラストのあるものにすることによって、その構成による使いやすさに加えて、非常に立体感があって、斬新なデザインのものにすることができる。
【００２０】
このように、上記の斬新な鈴部分の構成に対して、同構成の鈴棒および鈴棒支持具が組み合わされて鈴セットが構成されると、さらにユニークな鈴棒の支持が可能となり、トータルの製品としてのユニークさが一段と向上する。
【考案の効果】
【００２１】
以上の結果、この出願の考案によると、従来にない斬新な構造、デザインで、音質の良い鈴及び鈴セットを提供することが可能となる。
【図面の簡単な説明】
【００２２】
【図１】この出願の考案の実施の形態に係る鈴（鈴本体及び鈴台）の構成を示す正面図である。
【図２】この出願の考案の実施の形態に係る鈴（鈴本体及び鈴台）の構成を示す平面図である。
【図３】この出願の考案の実施の形態に係る鈴（鈴本体及び鈴台）の構成を示す底面図である。
【図４】この出願の考案の実施の形態に係る鈴（鈴本体及び鈴台）の構成を示す断面図（図１のＡ−Ａ断面図）である。
【図５】この出願の考案の実施の形態に係る鈴（鈴本体及び鈴台）の鈴本体部分の構成を示す底面図である。
【図６】この出願の考案の実施の形態に係る鈴（鈴本体及び鈴台）の鈴台部分のみの構成を示す平面図である。
【図７】この出願の考案の実施の形態に係る鈴棒及び鈴棒支持具の構成を示す側面図である。
【図８】この出願の考案の実施の形態に係る鈴棒及び鈴棒支持具の構成を示す正面図である。
【図９】この出願の考案の実施の形態に係る鈴棒及び鈴棒支持具の構成を示す平面図である。
【図１０】この出願の考案の実施の形態に係る鈴棒及び鈴棒支持具の鈴棒支持具上端部分の構成を示す一部切り欠き下面図である。
【図１１】この出願の考案の実施の形態に係る鈴棒及び鈴棒支持具の鈴棒部分の構成を示す上面図である。
【図１２】この出願の考案の実施の形態に係る鈴棒及び鈴棒支持具の上端部分の構成を拡大して示す側面図である。
【図１３】この出願の考案の実施の形態に係る鈴棒及び鈴棒支持具の下端部分の構成を拡大して示す側面図である。
【図１４】この出願の考案の実施の形態に係る鈴セットの構成を示す正面図である。
【考案を実施するための形態】
【００２３】
以下、この出願の考案に係る鈴（りん）および鈴セットを実施するための形態について、詳細に説明する。この実施の形態において、鈴（りん）とは、鈴本体と鈴本体を支持する鈴台を組み合わせた状態のものを指称し、鈴セットとは、それに鈴棒及び鈴棒支持具を組み合わせたものを指称している。
【００２４】
（鈴部分の構成）
まず図１〜図６は、この出願の考案の実施の形態に係る鈴部分の構造の詳細な構成を示している。
【００２５】
これらの図中、符号１は鉢状の鈴本体、符号２は同鉢状の鈴本体１を収容支持している方形の鈴台（台座）であり、この出願の考案の実施の形態に係る鈴は、これら鈴本体１および鈴台２とから構成されている。
【００２６】
鉢状（椀状）の鈴本体１は、一例として銅と亜鉛の合金である黄銅（真鍮）を用いて鉢状に成形されており、その底部下面中央には、所定の長さ下方に向けて突出した支持軸（ネジ軸）１１が設けられている。この支持軸１１は、鈴本体１の底部下面部分の寸法の小さい大径部１１ａと同大径部１１ａの中央から長く下方に伸びた小径の螺状部１１ｂとから構成されている。
【００２７】
方形の鈴台２は、同じく黄銅製（真鍮製）で断面正方形の四角柱を幅方向の寸法より小さい所定の高さ寸法で切断したブロック構造の質量のある略立方体（方形のブロック構造体）よりなり、同立方体の中央部に所定の直径、所定の深さの円筒型の鈴本体収容空間（鈴本体収容溝）２１を設けて構成されている。この鈴本体収容空間２１の底部中央には、円錐台形状の鈴本体１支持用の凸部２１ａが設けられており、同凸部２１ａの中央には上記鈴本体１の底部下面中央の螺状部（ネジ軸部）１１ｂが螺合される螺状溝（ネジ孔）２１ｂが設けられている。
【００２８】
そして、上記鉢状の鈴本体１は、その螺状部１１ｂを同螺状溝２１ｂに螺合することにより、たとえば図１および図４に示すように、上記鈴本体収容空間２１の底部中央の上記円錐台形状の鈴本体１支持用の凸部２１ａ上に機械的に安定した状態で支持され、その開口側上縁部を鈴台２の上面部よりも所定の高さ上方に突出させた状態で保持されている。この上方への突出高さは、全体のデザインおよび鈴本体１の開口部からの音の響きの広がりなどを考慮して、最適な寸法に形成されている。
【００２９】
上記鈴本体収容空間２１の直径及び深さ、上記鈴本体１の直径及び上下高さ、上記鈴本体１支持用の凸部２１ａの高さは、上記鈴本体１が上記鈴台２の上記鈴本体収容空間２１部分に図１および図４のような位置関係で収容支持されるように正確に設定されている。
【００３０】
すなわち、このような収容支持状態では、鈴本体１の外周面１１ｃと鈴本体収容空間２１の開口縁部２１ｃとの間に所定の隙間３が形成され（図１および図４参照）、鈴本体１を鳴らした時の音の共鳴空間でもある鈴本体収容空間２１の周囲が同隙間３を介して外部に開放され、かつ鈴本体収容空間２１内に鈴本体１の外周面１１ｃとの間に有効な大きさと形状の共鳴空間（残響空間）が形成される。したがって、鈴本体１が後述する金属製の鈴棒で打ち鳴らされた時の鈴本体１の振動による音が、鈴本体収容空間２１内で効果的に共鳴し、永続的な振動を伴って徐々に外部に放出（伝達）されるようになる。
【００３１】
また、この場合、上記のように、鈴本体１支持用の凸部２１ａが円錐台形状に形成されていることから、その外周の傾斜面が鈴本体１からの音の反射面となり、周囲の壁面との間で反射を繰り返しながら、最終的に隙間３の方向に時間をかけて音を放出するようになるので、より残響効果が高くなる。
【００３２】
さらに、同鈴本体１支持用の凸部２１ａの上面と上記鈴本体１の支持軸１１の大径部１１ａの下面との間には、例えば鈴本体１の振動が大径部１１ａから直接鈴本体１支持用の凸部２１ａ側に伝わらないように、振動の伝達を遮断する所定の厚さのフェルト部材（弾性部材）４が介装されている。このようにすると、同フェルト部材（弾性部材）４が従来の鈴布団の役目を果たし、鈴本体１の振動が減衰しにくく、より効果的に振動するようになる。
【００３３】
なお、この実施の形態の場合、上記鈴台２の底部側中央には、上記鈴本体収容空間２１の直径と同様の所定の深さの円筒状の溝５ａが形成され、それによって鈴台２が所望の重量のものに設定されると共に、その下端側開口部は、上記鈴台２の下面よりも所定の寸法下方に突出した所定の幅の環状の凸部（リブ）５に形成されている。そして、同環状の凸部５の下面には、同じく環状のフェルト部材６が貼設されている。
【００３４】
このようにすると、仏壇内に置いた時に角張った鈴台２の底部が棚面に直に置かれる場合と異なって、仏壇面が傷つきにくくなり、また仏壇面に置かれた時に、少し隙間を伴って浮いた状態に見えるようになるので、外観的な見栄えも良くなる。
【００３５】
この実施の形態の場合、一例として、上記鈴本体１は黄銅（真鍮）の素材の特徴を生かした金色（真鍮色）に仕上げられるが、他方、鈴台２の方は、例えば黒色に塗装されるなど、コントラストのある印象の良いデザインに仕上げられる。
【００３６】
（鈴棒及び鈴棒支持具の構成）
次に、図７〜図１３は、上記図１〜図６の構成の鈴（鈴本体１及び鈴台２の結合よりなる鈴）に対して組み合わされて鈴セットを構成する鈴棒７及び鈴棒支持具８の構成を示している。
【００３７】
鈴棒７は、黄銅製（真鍮製）の軸材７１と、該軸材７１の一端側に取り付けられた同じく黄銅製（真鍮製）の大径の楕円形球体７２と、同軸材７１の他端側に取り付けられた同じく黄銅製（真鍮製）の小径の円形球体７３とからなり、小径の円形球体７３部分を摘み部、大径の楕円形球体７２部分を打鈴部として使用するように構成されている。
【００３８】
鈴棒支持具８は、所定の直径の円形基盤（支持台）８１と、該円形基盤８１の中央に立設された鈴棒支持アーム８２と、該支持アーム８２の上端に取り付けられた同じく黄銅製（真鍮製）の楕円形球体８３とからなり、支持アーム８２は、下部側端部８２ａを円形基盤８１に挿入固定し、同挿入部上端から全体を前後方向に大きく湾曲させた上で楕円形球体８３を取り付けた上端８２ａ側を円形基盤８１の前端部上方に位置させた構成としている。そして、その楕円形球体８３部分に、図示のように、鈴棒７１の摘み部側小径の円形球体７３を吊り下げる形で鈴棒７を支持している。
【００３９】
すなわち、この実施の形態の場合、たとえば図１０、図１１及び図１２に示されるように、支持アーム８２側楕円形球体８３の下部中央には、鈴棒７の円形球体７３の頂部に対応する所定の大きさのマグネット（永久磁石）８３ａが埋設されていると共に、鈴棒７の円形球体７３の頂部にも、同様のマグネット（永久磁石）７３ａが埋設されている。そして、これら２組のマグネット８３ａ、７３ａは、相互に逆極性のものに構成されている。
【００４０】
したがって、支持アーム８２側楕円形球体８３に対して、鈴棒７の円形球体７３は、それらマグネット８３ａ、７３ａ相互の吸引力で確実に吸着保持され、図示のように、振り子状態で吊り下げられることになる。これらマグネット８３ａ、７３ａ間の吸着力は、比較的容易に鈴棒７を取り外すことができるが、他方、容易に鈴棒７が落下するようなことがない強度に調整されている。このため、好ましくはマグネット８３ａ、７３ａ相互の当接面は円弧面に形成される。
【００４１】
このように構成すると、当接面の見た目がきれいで、マグネット８３ａ、７３ａの存在が分からないし、凸面同士を合わせればよいので、装着時の取り付けも容易になる。
【００４２】
なお、この実施の形態において、上記鈴棒７の軸材７１の各端部７１ａ，７１ｂと大径の楕円形球体７２、小径の円形球体７３との取り付けは、大径の楕円形球体７２及び小径の円形球体７３のそれぞれに端部７１ａ，７１ｂ挿入用の孔をあけ、そこに各端部７１ａ，７１ｂを挿入して溶接固定するか、又は相互に螺合する構成にして取り付けられる。上記支持アーム８２側楕円形球体８３及び円形基盤８１との取り付けも同様の構成によって実現される。
【００４３】
この場合において、たとえば鈴棒７の軸材７１、楕円形球体７２、円形球体７３は、何れも黄銅（真鍮）の特徴を生かした金色（真鍮色）に仕上げられるが、他方、鈴棒支持具８の方は、取り付け部である楕円型球体８３のみが黄銅（真鍮）の特徴を生かした金色（真鍮色）に仕上げられ、また支持アーム８２及び円形基盤８１の方は黒色に塗装されるなどして、取り付け部である楕円型球体８３のみが目立つような構成に仕上げられる（一例として）。
【００４４】
以上のような構成の鈴棒７及び鈴棒支持具８の組み合わせによると、鈴棒７自体が空間的に浮いた状態（円形球体８３と楕円形球体７３の球面同士の点接触状態）で空中に吊り下げられ、しかも、同鈴棒７の取り付け部である小さな楕円形球体７３自体が、厚さの薄い円形基盤８１の上方で空間的に大きく湾曲した視覚的に見えにくい細い支持アームを介して立体的に支持されることになるので、従来の構成では想定できない、きわめて斬新な構成の鈴棒支持具を提供することが可能となる。
【００４５】
この効果は、上記のように、鈴棒７の軸材７１、楕円形球体７２、円形球体７３は、何れも黄銅の特徴を生かした金色（真鍮色）に仕上げられているが、他方、鈴棒支持具８の方は、取り付け部である楕円型球体８３のみが黄銅の特徴を生かした金色（真鍮色）に仕上げられるが、支持アーム８２及び円形基盤８１の方は黒色に塗装されて、取り付け部である楕円型球体８３のみが目立つような構成に仕上げられていることにより、より効果的に実現される。
【００４６】
（鈴セットとしての構成）
以上の構成による鈴及び鈴棒、鈴棒支持具は、たとえば図１４のように組み合わせて、鈴セットとして販売され、使用される。
【００４７】
このような構成の場合、鈴本体１及び鈴台２よりなる鈴自体の斬新さと鈴棒７及び鈴棒支持具８の斬新さが加わって、特にモダン仏壇などに適した、従来にはない非常に新規な鈴セットを実現することができる。
【符号の説明】
【００４８】
１は鈴本体、２は鈴台、３は隙間、４はフェルト材、５は凸部、６はフェルト材、７は鈴棒、８は鈴棒支持具、１１は支持軸、１１ａは支持軸大径部、１１ｂは支持軸小径部、１１ｃは鈴本体の外周面、２１は鈴本体収容空間、２１ａは鈴本体支持用の凸部、２１ｂは螺状溝、２１ｃは鈴本体収容空間の開口縁部、７１は軸材、７２は楕円形球体、７３は円形球体、７３ａはマグネット、８１は円形基盤、８３ａはマグネットである。
【図１】
0003217527.tif 000003
【図２】
0003217527.tif 000004
【図３】
0003217527.tif 000005
【図４】
0003217527.tif 000006
【図５】
0003217527.tif 000007
【図６】
0003217527.tif 000008
【図７】
0003217527.tif 000009
【図８】
0003217527.tif 000010
【図９】
0003217527.tif 000011
【図１０】
0003217527.tif 000012
【図１１】
0003217527.tif 000013
【図１２】
0003217527.tif 000014
【図１３】
0003217527.tif 000015
【図１４】
0003217527.tif 000016
【手続補正書】
【提出日】平成30年6月12日(2018.6.12)
【手続補正１】
【補正対象書類名】実用新案登録請求の範囲
【補正対象項目名】全文
【補正方法】変更
【補正の内容】
【実用新案登録請求の範囲】
【請求項１】
鉢状の鈴本体と、該鈴本体を支持する鈴台とからなる鈴であって、上記鈴台を金属製のブロック構造体に形成し、該ブロック構造体に上記鈴本体を収容する上方側に開口した鈴本体収容空間を設けるとともに、該鈴本体収容空間の底部中央に上記鈴本体の底部中央に設けられた凸部と係合し、上記鈴本体の外周面が上記鈴本体収容空間の開口縁部と接触しない状態に固定支持する鈴本体支持部を設け、該鈴本体支持部を介して上記鈴本体を固定支持したことを特徴とする鈴構造。
【請求項２】
一端側に鈴本体を打つ球状の打鈴部および他端側に打鈴用の摘み部を有する金属製の鈴棒と該金属製の鈴棒の上記摘み部を磁力により吸着した状態で吊り下げ支持する鈴棒支持具が組み合わされて鈴セットを構成していることを特徴とする請求項１記載の鈴構造。
【手続補正２】
【補正対象書類名】明細書
【補正対象項目名】全文
【補正方法】変更
【補正の内容】
【考案の詳細な説明】
【技術分野】
【０００１】
本願考案は、一般家庭で使用される家庭用仏壇の仏具としての鈴（りん）の構造に関し、特に鈴本体を支持する鈴台部分を金属製のブロック構造体に形成し、同ブロック構造体に鈴本体を支持する鈴本体収容空間を設けて鈴本体を支持した鈴構造に関するものである。
【背景技術】
【０００２】
仏具としての鈴は、勤行の際に、経典などの読誦の開始、区切り、終了の合図として打ち鳴らされる。そして、従来は一般の家庭でも比較的大型の仏壇が使用されていたために、そのような鈴も大きく、鈴（鈴本体）、鈴布団、鈴台、鈴棒台の組み合わせにより構成され、さらに鈴棒台に棒状の鈴棒が置かれる構成のものが多かった（たとえば特許文献１の構成を参照）。
【０００３】
しかし、昨今は、モダン仏壇に代表されるように、住環境に対応して、小型でシンプル、スタイリッシュな仏壇が多くなっており、供養の形態も大きく変化してきている。そして、それに対応して、リップル構造の鈴や高台鈴等の鈴布団、鈴棒台のない鈴本体と小さな鈴台のみで形成された小型でシンプルな形態の鈴が提供されるようになっている（たとえば特許文献２、特許文献３の構成を参照）。
【０００４】
そして、そのような構成の鈴において、さらに鈴棒を鈴本体内に立設させるようにしたものもある（たとえば特許文献４の構成を参照）。
【先行技術文献】
【特許文献】
【０００５】
【特許文献１】実開昭６２−７２８２号公報（実願昭６０−９９２９３号）
【特許文献２】実用新案登録第３１１４２６８号公報
【特許文献３】実用新案登録第３０５４６０７号公報
【特許文献４】特開２０１８−７７４号公報
【考案の概要】
【考案が解決しようとする課題】
【０００６】
そのようなリップル鈴や高台鈴の場合、鉢状の鈴本体の底部中央に下方に突出するネジ軸、小さな円錐台形状の鈴台（台座）の上部に上面側から下方に延びるネジ穴を設け、鈴本体のネジ軸を鈴台のネジ穴に螺合することによって鈴本体を鈴台（台座）上に固定するようにしている。
【０００７】
しかし、このような構成の鈴の場合、鈴全体がお椀のような形態になると共に、鈴本体と鈴台（台座）の連結部分が局部的にくびれて細くなり、結合部がそのまま見えるので、デザイン的な見栄えが良くない。また、デザイン設計上のバリエーションンも制約され、斬新なデザインを採用することができない。また、鈴台（台座）部分を小さくすればするほど、鈴本体の支持状態が不安定になり、転倒しやすくなる。さらに、鈴本体の底部がネジ軸を介して、小さな鈴台（台座）の上部に結合されているだけであるから、打たれた時の鈴本体の響きが鈴本体の全周から容易に空間中に拡散されてしまい、残響効果（余韻）が出なくなってしまう。
【０００８】
この出願の考案は、このような問題を解決するためになされたもので、鈴本体を支持する鈴台部分（台座部分）を金属製のブロック構造体に形成し、同ブロック構造体に鈴本体を支持する鈴本体収容空間を設けて、鈴本体を確実に支持させると共に、同鈴本体収容空間を例えば共鳴空間に形成することによって、上述の問題を解決した鈴構造を提供することを目的とするものである。
【課題を解決するための手段】
【０００９】
この出願は、上述のような課題を解決するために、次のような課題解決手段を備えて構成されている。
【００１０】
（１）請求項1の考案の課題解決手段
請求項1の考案の課題解決手段は、鉢状の鈴本体と、該鈴本体を支持する鈴台とからなる鈴であって、上記鈴台を金属製のブロック構造体に形成し、該ブロック構造体に上記鈴本体を収容する上方側に開口した鈴本体収容空間を設けるとともに、該鈴本体収容空間の底部中央に上記鈴本体の底部中央に設けられた凸部と係合し、上記鈴本体の外周面が上記鈴本体収容空間の開口縁部と接触しない状態に固定支持する鈴本体支持部を設け、該鈴本体支持部を介して上記鈴本体を固定支持したことを特徴としている。
【００１１】
このような構成によると、鉢状の鈴本体を支持する鈴台が金属製のブロック構造体よりなり、該ブロック構造体の鈴台に鉢状の鈴本体を収容する上方側に開口した鈴本体収容空間が設けられている。そして、鉢状の鈴本体の主要部分が同金属製のブロック構造体に設けられた鈴本体収容空間内に収容され、鈴本体の底部中央に設けられた凸部が鈴本体収容空間の底部中央に設けられた支持部に係合することによって、上記鈴本体の外周面が上記鈴本体収容空間の開口縁部と接触しないように固定支持される。
【００１２】
すなわち、同構成では、鉢状の鈴本体の主要部分が金属製のブロック構造体に設けられた鈴本体収容空間内に収容された状態で支持されるので、仮に鈴本体底部中央の凸部をネジ軸に構成し、金属製のブロック構造体中の鈴本体収容空間底部中央の鈴本体支持部にネジ穴を形成して、相互に螺合固定する固定構造を採用したとしても、それらの部分は外部から見えなくなるので、非常に見栄えが良くなる。
また、鈴台を構成する金属ブロック構造体は質量が大きく、鈴本体の振動に対して共振しにくいので、機械的に鈴本体の安定した支持が可能となるだけでなく、音響工学的にも、鈴本体の安定した振動を妨げない良好な支持状態を実現することができる。
【００１３】
また、同支持状態では、鈴本体の外周面が鈴本体収容空間の開口縁部と接触しない状態で支持される。したがって、その点でも良好な振動状態が確保される。
【００１４】
また、その結果、鈴本体収容空間を鈴本体振動時（鳴動時）の共鳴空間（残響空間）として有効に機能させることができるようになるので、打鈴時の残響効果を向上させることができる。このため余韻のある高級な鳴音の鈴を提供することができる。
【００１５】
また、同構成の場合、たとえば鈴本体の底部にネジ軸等を設けて金属製のブロック体中の鈴本体保持空間底部のネジ穴部に螺合させて固定する構成を採用した場合に、鈴本体の底部と鈴本体保持空間底部との間にフェルトなどの弾性材を介装することによって、鈴本体の底部側から鈴本体保持空間底部側への鈴本体の振動が伝わるのを遮断し、鈴本体の振動の減衰を可能な限り防止する。これにより、より鈴本体の振動性能が向上し、音響性能が良くなる。
【００１６】
金属製のブロック構造体中に鈴本体を支持すると言う鈴構造は、鈴自体の構造として非常に斬新で、鈴本体と金属製のブロック構造体との色を変え、コントラストを与えることにより、デザイン的にも非常にユニークなものとなる。
【００１７】
（２）請求項２の考案の課題解決手段
請求項２の考案の課題解決手段は、上記請求項１の考案の課題解決手段において、一端側に鈴本体を打つ球状の打鈴部および他端側に打鈴用の摘み部を有する金属製の鈴棒と該金属製の鈴棒の上記摘み部を磁力により吸着した状態で吊り下げ支持する鈴棒支持具が組み合わされて、鈴セットを構成するようになっていることを特徴としている。
【００１８】
この場合、好ましくは、打鈴用の摘み部も球状に形成されるとともに、鈴棒支持具が上方に延びて湾曲したアーム状に形成され、該アーム部の先端も球状に形成される。そして、打鈴用の摘み部の球状部とアーム部先端の球状部には、それぞれ磁石が設けられる。
【００１９】
このようにすると、鈴棒支持具の上方に延びて湾曲したアーム部先端の球状部に打鈴用の摘み部の球状部が確実に吸着されて、適切に吊り下げられる。そして、打鈴時には、自由に吊り下げ状態の鈴棒を取って、摘み部を握り、球状の打鈴部で鈴本体の内側を打って効果的に鈴音を響かせることができる。
【００２０】
その後は、球状の摘み部の磁石部をアーム部先端の球状部の磁石に吸着させることによって、簡単に吊り下げることができる。
【００２１】
この場合にも、打鈴部および摘み部を有する鈴棒、鈴棒支持具のアーム部や先端の球状部の色を相互にコントラストのあるものにすることによって、その構成による使いやすさに加えて、非常に立体感があって、斬新なデザインのものにすることができる。
【００２２】
このように、上記の斬新な鈴部分の構成に対して、同構成の鈴棒および鈴棒支持具が組み合わされて鈴セットが構成されると、さらにユニークな鈴棒の支持が可能となり、トータルの製品としてのユニークさが一段と向上する。
【考案の効果】
【００２３】
以上の結果、この出願の考案によると、従来にない斬新な構造、デザインで、音質の良い鈴及び鈴セットを提供することが可能となる。
【図面の簡単な説明】
【００２４】
【図１】この出願の考案の実施の形態に係る鈴（鈴本体及び鈴台）の構成を示す正面図である。
【図２】この出願の考案の実施の形態に係る鈴（鈴本体及び鈴台）の構成を示す平面図である。
【図３】この出願の考案の実施の形態に係る鈴（鈴本体及び鈴台）の構成を示す底面図である。
【図４】この出願の考案の実施の形態に係る鈴（鈴本体及び鈴台）の構成を示す断面図（図１のＡ−Ａ断面図）である。
【図５】この出願の考案の実施の形態に係る鈴（鈴本体及び鈴台）の鈴本体部分の構成を示す底面図である。
【図６】この出願の考案の実施の形態に係る鈴（鈴本体及び鈴台）の鈴台部分のみの構成を示す平面図である。
【図７】この出願の考案の実施の形態に係る鈴棒及び鈴棒支持具の構成を示す側面図である。
【図８】この出願の考案の実施の形態に係る鈴棒及び鈴棒支持具の構成を示す正面図である。
【図９】この出願の考案の実施の形態に係る鈴棒及び鈴棒支持具の構成を示す平面図である。
【図１０】この出願の考案の実施の形態に係る鈴棒及び鈴棒支持具の鈴棒支持具上端部分の構成を示す一部切り欠き下面図である。
【図１１】この出願の考案の実施の形態に係る鈴棒及び鈴棒支持具の鈴棒部分の構成を示す上面図である。
【図１２】この出願の考案の実施の形態に係る鈴棒及び鈴棒支持具の上端部分の構成を拡大して示す側面図である。
【図１３】この出願の考案の実施の形態に係る鈴棒及び鈴棒支持具の下端部分の構成を拡大して示す側面図である。
【図１４】この出願の考案の実施の形態に係る鈴セットの構成を示す正面図である。
【考案を実施するための形態】
【００２５】
以下、この出願の考案に係る鈴（りん）および鈴セットを実施するための形態について、詳細に説明する。この実施の形態において、鈴（りん）とは、鈴本体と鈴本体を支持する鈴台を組み合わせた状態のものを指称し、鈴セットとは、それに鈴棒及び鈴棒支持具を組み合わせたものを指称している。
【００２６】
（鈴部分の構成）
まず図１〜図６は、この出願の考案の実施の形態に係る鈴部分の構造の詳細な構成を示している。
【００２７】
これらの図中、符号１は鉢状の鈴本体、符号２は同鉢状の鈴本体１を収容支持している方形の鈴台（台座）であり、この出願の考案の実施の形態に係る鈴は、これら鈴本体１および鈴台２とから構成されている。
【００２８】
鉢状（椀状）の鈴本体１は、一例として銅と亜鉛の合金である黄銅（真鍮）を用いて鉢状に成形されており、その底部下面中央には、所定の長さ下方に向けて突出した支持軸（ネジ軸）１１が設けられている。この支持軸１１は、鈴本体１の底部下面部分の寸法の小さい大径部１１ａと同大径部１１ａの中央から長く下方に伸びた小径の螺状部１１ｂとから構成されている。
【００２９】
方形の鈴台２は、同じく黄銅製（真鍮製）で断面正方形の四角柱を幅方向の寸法より小さい所定の高さ寸法で切断したブロック構造の質量のある略立方体（方形のブロック構造体）よりなり、同立方体の中央部に所定の直径、所定の深さの円筒型の鈴本体収容空間（鈴本体収容溝）２１を設けて構成されている。この鈴本体収容空間２１の底部中央には、円錐台形状の鈴本体１支持用の凸部２１ａが設けられており、同凸部２１ａの中央には上記鈴本体１の底部下面中央の螺状部（ネジ軸部）１１ｂが螺合される螺状溝（ネジ孔）２１ｂが設けられている。
【００３０】
そして、上記鉢状の鈴本体１は、その螺状部１１ｂを同螺状溝２１ｂに螺合することにより、たとえば図１および図４に示すように、上記鈴本体収容空間２１の底部中央の上記円錐台形状の鈴本体１支持用の凸部２１ａ上に機械的に安定した状態で支持され、その開口側上縁部を鈴台２の上面部よりも所定の高さ上方に突出させた状態で保持されている。この上方への突出高さは、全体のデザインおよび鈴本体１の開口部からの音の響きの広がりなどを考慮して、最適な寸法に形成されている。
【００３１】
上記鈴本体収容空間２１の直径及び深さ、上記鈴本体１の直径及び上下高さ、上記鈴本体１支持用の凸部２１ａの高さは、上記鈴本体１が上記鈴台２の上記鈴本体収容空間２１部分に図１および図４のような位置関係で収容支持されるように正確に設定されている。
【００３２】
すなわち、このような収容支持状態では、鈴本体１の外周面１１ｃと鈴本体収容空間２１の開口縁部２１ｃとの間に所定の隙間３が形成され（図１および図４参照）、鈴本体１を鳴らした時の音の共鳴空間でもある鈴本体収容空間２１の周囲が同隙間３を介して外部に開放され、かつ鈴本体収容空間２１内に鈴本体１の外周面１１ｃとの間に有効な大きさと形状の共鳴空間（残響空間）が形成される。したがって、鈴本体１が後述する金属製の鈴棒で打ち鳴らされた時の鈴本体１の振動による音が、鈴本体収容空間２１内で効果的に共鳴し、永続的な振動を伴って徐々に外部に放出（伝達）されるようになる。
【００３３】
また、この場合、上記のように、鈴本体１支持用の凸部２１ａが円錐台形状に形成されていることから、その外周の傾斜面が鈴本体１からの音の反射面となり、周囲の壁面との間で反射を繰り返しながら、最終的に隙間３の方向に時間をかけて音を放出するようになるので、より残響効果が高くなる。
【００３４】
さらに、同鈴本体１支持用の凸部２１ａの上面と上記鈴本体１の支持軸１１の大径部１１ａの下面との間には、例えば鈴本体１の振動が大径部１１ａから直接鈴本体１支持用の凸部２１ａ側に伝わらないように、振動の伝達を遮断する所定の厚さのフェルト部材（弾性部材）４が介装されている。このようにすると、同フェルト部材（弾性部材）４が従来の鈴布団の役目を果たし、鈴本体１の振動が減衰しにくく、より効果的に振動するようになる。
【００３５】
なお、この実施の形態の場合、上記鈴台２の底部側中央には、上記鈴本体収容空間２１の直径と同様の所定の深さの円筒状の溝５ａが形成され、それによって鈴台２が所望の重量のものに設定されると共に、その下端側開口部は、上記鈴台２の下面よりも所定の寸法下方に突出した所定の幅の環状の凸部（リブ）５に形成されている。そして、同環状の凸部５の下面には、同じく環状のフェルト部材６が貼設されている。
【００３６】
このようにすると、仏壇内に置いた時に角張った鈴台２の底部が棚面に直に置かれる場合と異なって、仏壇面が傷つきにくくなり、また仏壇面に置かれた時に、少し隙間を伴って浮いた状態に見えるようになるので、外観的な見栄えも良くなる。
【００３７】
この実施の形態の場合、一例として、上記鈴本体１は黄銅（真鍮）の素材の特徴を生かした金色（真鍮色）に仕上げられるが、他方、鈴台２の方は、例えば黒色に塗装されるなど、コントラストのある印象の良いデザインに仕上げられる。
【００３８】
（鈴棒及び鈴棒支持具の構成）
次に、図７〜図１３は、上記図１〜図６の構成の鈴（鈴本体１及び鈴台２の結合よりなる鈴）に対して組み合わされて鈴セットを構成する鈴棒７及び鈴棒支持具８の構成を示している。
【００３９】
鈴棒７は、黄銅製（真鍮製）の軸材７１と、該軸材７１の一端側に取り付けられた同じく黄銅製（真鍮製）の大径の楕円形球体７２と、同軸材７１の他端側に取り付けられた同じく黄銅製（真鍮製）の小径の円形球体７３とからなり、小径の円形球体７３部分を摘み部、大径の楕円形球体７２部分を打鈴部として使用するように構成されている。
【００４０】
鈴棒支持具８は、所定の直径の円形基盤（支持台）８１と、該円形基盤８１の中央に立設された鈴棒支持アーム８２と、該支持アーム８２の上端に取り付けられた同じく黄銅製（真鍮製）の楕円形球体８３とからなり、支持アーム８２は、下部側端部８２ａを円形基盤８１に挿入固定し、同挿入部上端から全体を前後方向に大きく湾曲させた上で楕円形球体８３を取り付けた上端８２ａ側を円形基盤８１の前端部上方に位置させた構成としている。そして、その楕円形球体８３部分に、図示のように、鈴棒７１の摘み部側小径の円形球体７３を吊り下げる形で鈴棒７を支持している。
【００４１】
すなわち、この実施の形態の場合、たとえば図１０、図１１及び図１２に示されるように、支持アーム８２側楕円形球体８３の下部中央には、鈴棒７の円形球体７３の頂部に対応する所定の大きさのマグネット（永久磁石）８３ａが埋設されていると共に、鈴棒７の円形球体７３の頂部にも、同様のマグネット（永久磁石）７３ａが埋設されている。そして、これら２組のマグネット８３ａ、７３ａは、相互に逆極性のものに構成されている。
【００４２】
したがって、支持アーム８２側楕円形球体８３に対して、鈴棒７の円形球体７３は、それらマグネット８３ａ、７３ａ相互の吸引力で確実に吸着保持され、図示のように、振り子状態で吊り下げられることになる。これらマグネット８３ａ、７３ａ間の吸着力は、比較的容易に鈴棒７を取り外すことができるが、他方、容易に鈴棒７が落下するようなことがない強度に調整されている。このため、好ましくはマグネット８３ａ、７３ａ相互の当接面は円弧面に形成される。
【００４３】
このように構成すると、当接面の見た目がきれいで、マグネット８３ａ、７３ａの存在が分からないし、凸面同士を合わせればよいので、装着時の取り付けも容易になる。
【００４４】
なお、この実施の形態において、上記鈴棒７の軸材７１の各端部７１ａ，７１ｂと大径の楕円形球体７２、小径の円形球体７３との取り付けは、大径の楕円形球体７２及び小径の円形球体７３のそれぞれに端部７１ａ，７１ｂ挿入用の孔をあけ、そこに各端部７１ａ，７１ｂを挿入して溶接固定するか、又は相互に螺合する構成にして取り付けられる。上記支持アーム８２側楕円形球体８３及び円形基盤８１との取り付けも同様の構成によって実現される。
【００４５】
この場合において、たとえば鈴棒７の軸材７１、楕円形球体７２、円形球体７３は、何れも黄銅（真鍮）の特徴を生かした金色（真鍮色）に仕上げられるが、他方、鈴棒支持具８の方は、取り付け部である楕円型球体８３のみが黄銅（真鍮）の特徴を生かした金色（真鍮色）に仕上げられ、また支持アーム８２及び円形基盤８１の方は黒色に塗装されるなどして、取り付け部である楕円型球体８３のみが目立つような構成に仕上げられる（一例として）。
【００４６】
以上のような構成の鈴棒７及び鈴棒支持具８の組み合わせによると、鈴棒７自体が空間的に浮いた状態（円形球体８３と楕円形球体７３の球面同士の点接触状態）で空中に吊り下げられ、しかも、同鈴棒７の取り付け部である小さな楕円形球体７３自体が、厚さの薄い円形基盤８１の上方で空間的に大きく湾曲した視覚的に見えにくい細い支持アームを介して立体的に支持されることになるので、従来の構成では想定できない、きわめて斬新な構成の鈴棒支持具を提供することが可能となる。
【００４７】
この効果は、上記のように、鈴棒７の軸材７１、楕円形球体７２、円形球体７３は、何れも黄銅の特徴を生かした金色（真鍮色）に仕上げられているが、他方、鈴棒支持具８の方は、取り付け部である楕円型球体８３のみが黄銅の特徴を生かした金色（真鍮色）に仕上げられるが、支持アーム８２及び円形基盤８１の方は黒色に塗装されて、取り付け部である楕円型球体８３のみが目立つような構成に仕上げられていることにより、より効果的に実現される。
【００４８】
（鈴セットとしての構成）
以上の構成による鈴及び鈴棒、鈴棒支持具は、たとえば図１４のように組み合わせて、鈴セットとして販売され、使用される。
【００４９】
このような構成の場合、鈴本体１及び鈴台２よりなる鈴自体の斬新さと鈴棒７及び鈴棒支持具８の斬新さが加わって、特にモダン仏壇などに適した、従来にはない非常に新規な鈴セットを実現することができる。
【符号の説明】
【００５０】
１は鈴本体、２は鈴台、３は隙間、４はフェルト材、５は凸部、６はフェルト材、７は鈴棒、８は鈴棒支持具、１１は支持軸、１１ａは支持軸大径部、１１ｂは支持軸小径部、１１ｃは鈴本体の外周面、２１は鈴本体収容空間、２１ａは鈴本体支持用の凸部、２１ｂは螺状溝、２１ｃは鈴本体収容空間の開口縁部、７１は軸材、７２は楕円形球体、７３は円形球体、７３ａはマグネット、８１は円形基盤、８３ａはマグネットである。